(57)【要約】【目的】水底の沈澱物や陸上の廃棄物汚泥を回収除去する吸引作業において、周辺水を汚濁させずに、能率良く、取扱いやすい吸泥口設備を提供する。【構成】吸引装置の吸泥ホース管端に、底面を開放した断面凹形の覆水路を連設し、該覆水路の側壁下辺に位置、大きさを選択した吸泥口を開設、先端部上辺には、上方に伸延開口させた外部水の噴入口を開設した構成の吸泥システムを、使用状況に合わせた形態に構成する。【選択図】　　　　図１
2004105933.tif 000002
【特許請求の範囲】
【請求項１】
吸引装置から垂下延長したサクションホース等に接続使用する吸泥口設備において、吸泥管先端部外周を囲う形で、底面を開放すると共に外周壁下辺を開口させたドーナツ状覆水路を配設し、該覆水路の周方向途中には仕切壁を設けて分断し、該仕切壁前面に近接する吸泥管壁には、大略覆水路高さに合わせた吸込み口を開設連通させ、仕切壁後面側に近接した該覆水路上方には補吸水の噴入口を開口させる、該噴入口は補吸水路を上方に伸延開口させて、上方外部水を吸入できるように構成した吸引装置の吸泥口設備。
【請求項２】
吸引装置から垂下延長したサクションホース等に接続使用する吸泥口設備において、底面を開放した断面凹形の覆水路を、走行移動する方向に直交する形に床面に沿わせて配設し、該覆水路の基端側は吸引装置に接続連通させ、先端側は該覆水路上方に設けた補吸水口に連通開口させる。
更に、該覆水路の走行方向前面壁、後面壁の下辺を、ほぼ全長さにわたってスリット状に開口させ、該スリット状開口部は、開口長さに合わせて上方で軸支され、覆水路方向と直交する方向に遥動する閉子によって、進行方向後方側のスリット状開口部を閉止するように構成すると共に、該閉子下方端には常に床面に押圧され摺動するスクレパーを備えて、床面上を走行移動させて泥土を回収除去するようにした吸引装置の吸泥口設備。
【請求項３】
吸引装置から垂下延長したサクションホース等に接続使用する吸泥口設備において、底面を開放した断面凹形の覆水路を、走行移動する方向に直交する形に床面に沿わせて配設し、該覆水路の基端側を吸引装置に接続連通させると共に、先端側はケース上方に開設した補吸水口に連通開口させ、上方水を吸入できるようになし、更に、該覆水路の進行方向前面壁下辺を、ほぼ全長さにわたってスリット状に開口させ、床面上を一定方向に走行移動させて泥土を回収除去するようにした吸引装置の吸泥口設備。
【請求項４】
吸引装置から垂下延長したサクションホース等に接続使用する吸泥口設備において、垂直に、或いは前方に傾斜して床面に当接する吸泥管端の管央後半が開口状態のまま、或いは前方管央側に掘削刃を備えた掻き板で塞がれた状態で、掘削刃部を当接させ、該吸泥管の前半は前方に向けて開口させると共に、該開口部を床面に沿わせて前方に延長する形で、底面、及び先端から両側壁の下辺を開放した覆水路を突出させ、該覆水路内先端部上辺には、覆水路の上段に併設した補吸気路と連通する噴入口を開設し、該補吸気路は上方に伸延開口させて外気を吸入できるようにした、吸引装置の吸泥口設備。
【請求項５】
吸泥管下辺後方に、転動自在な車輪または支持脚部を配設して、移動及び前方に突出する覆水路の姿勢を保持しやすくした、請求項４の吸引装置の吸泥口設備。
【請求項６】
吸引装置から垂下延長したサクションホース等の先端に接続使用する吸泥口設備において、底面を開放した断面凹形の覆水路を、走行移動する方向に合わせて配設し、該覆水路の基端部を吸引装置に接続連通させ、内部流動速度を、吸引したい軽質物質の単粒子移動開始速度を越え、吸入させたくない水底表層面粒子の、単粒子移動開始速度の３倍以下の速度に選定した断面積にすると共に、該覆水路の両側壁下辺は水底面砂層に挿入し、或いは側外方に広がるスラセ板を設ける等して、側部外方からの吸水を防止すると共に水底表層面を滑動しやすく構成する、更に、該覆水路の基端側端部は下底面を押し均しやすく、かつ、端部外方からの吸水を防止するように構成する。
また、該覆水路の先端部下辺には、水底表層面を掘り込みたい深さに合わせて開口させた吸泥口を開設した、軽質物質を選別して吸入する吸引装置の吸泥口設備。
【発明の詳細な説明】
【０００１】
【産業上の利用分野】
本発明は水中沈澱物等を取扱う小口径機種にあっては、ポンプやサイホン現象（以降ポンプ式と称す）を使用した吸引装置の吸水管端に接続して家庭の鑑賞魚水槽や池の掃除、砂洗い等に使用し、大口径機種にあっては、一般産業や土木工事、廃棄物処理、水処理等における水中沈澱物や鉱物の回収除去に使用する。
【０００２】
また、陸上においては各種ブロアやファン（以降風力式と称す）を用いた吸引装置の吸気管端に接続して、廃棄物汚泥や紛粒体等を回収除去、或いは収集し移送するのに供する。
【０００３】
【従来の技術】
従来の鑑賞魚用水槽や池底の清掃、砂洗いを行う方法には、ポンプやサイホン現象を利用して、単純に吸い取る方法と排水して行う方法があり、産業用水底沈澱物の回収除去においては、噴射水や機械的掘削等の外力を使用して沈澱物を掘削、或いはかくはんして再浮遊させて吸引回収するものがほとんどである。
【０００４】
また、水底の表層面に堆積するヘドロや火山噴火降灰等の軽質、または微細粒子のみを選別して回収除去するシステムは少なく、砂と一緒に回収処理している状況である。
【０００５】
陸上における風力式吸引装置、特にバキュームカー等の吸泥口にあっては、吸込み状況を目視確認しながら、吸着を防止調整して吸引作業を行っている。
【０００６】
また、ポンプ式、風力式のいずれの場合においても、吸泥口の閉塞や過吸込みの対策に、吸泥口先端や近傍に外部水を吸入させて、吸水を補償し、回復、開放を期待する技術は多数のものがあり、実用新案出願公告昭３９−３０７２３、特許番号第２５６６５４１、があり、また、同人の特許Ｎｏ．６７１１７９、特許Ｎｏ．１５５５３９３等もその一つである。
【０００７】
【発明が解決しようとする課題】
鑑賞魚の水槽や池をきれいに保ちたいのは人情であり、このような目的に軽便で能率的な器具を提供したい。
産業的に水底沈澱物を回収除去する場合には、機械的かくはんや噴射水を用いて掘削やかくはんを行うけれども、複雑な設備機器とエネルギーを必要とするばかりでなく、腐食や磨耗を伴い、更に周辺の水環境を汚濁する大きな問題がある。
【０００８】
また、風力式による廃棄物汚泥や紛粒体の吸引作業の場合は、諸種の条件（対象物の比重と大きさ、吸引装置の発生負圧と風量、輸送距離と高さ等）を配慮して最適な作業を行うことは、作業能率、省エネルギーの観点から非常に重要であるにもかかわらず、現状では適切な吸泥口設備が提供されていないために、高度な知識と熟練度を要するばかりでなく、吸泥口の吸着現象と戦いながら持続的な作業を行うことは、誠に厳しい作業環境である等の問題がある。
【０００９】
また、湖沼や海底面の表層面ヘドロ状物質や噴火降灰微粒子を放置することは、環境的に好ましくないのみならず、生態系を壊し、漁場を失うことになる等の問題があり、また、従来のように砂まで一緒に回収し処理することは、大きな動力を必要とするばかりでなく、磨耗性の大きい砂のためにポンプや機器に不要な磨耗を生じさせる問題がある。
【００１０】
【課題を解決するための手段】
本発明では前記するような課題を解決するために、同人出願の特願平１１−２１７６８４の基本思想を用いて、吸泥口の閉塞時や過吸込み状態時に、上部水を吸入させる補吸水を、更に積極的に利用して、下底面を開放した凹形断面の覆水路内で、下底面沈澱物のかくはん混合、或いは巻き上げ吸入を行わせる吸泥口設備になし、いろいろな場面に応じた、走行移動しやすい各種の吸泥口設備を提供する。
【００１１】
第１の場合、ポンプ式においては水底に深く堆積した沈澱物、風力式においては槽底や床面に高く積まれた汚泥をはじめとする紛粒体を回収除去する場合、吸引装置のサクションホース先端吸泥口において、吸泥管先端部外周を囲う形で、底面及び外周壁下辺を開口させたドーナツ状の覆水路を配設し、該覆水路の周方向途中に仕切壁を設けて分断し、該仕切壁前面に近接する吸泥管壁には、大略覆水路高さに合わせて開口させた吸込み口を開設して吸泥管に連通させる。
【００１２】
更に、該仕切壁背面側に近接した覆水路上方には噴入口を開設する、該噴入口は、吸入圧を配慮した大きさに開口させると共に、吸泥管に沿う形で上方に伸延して開口させた補吸水路に連通し、覆水路内負圧の程度に応じて、上方の外部水を吸入できるように構成した吸泥口設備とし、小形機種にあっては取っ手を設け、吸泥口を直接上下動、或いは移動操作し、大形機種にあってはクレーンや台船に垂下懸垂して吸引作業を行う。
【００１３】
第２の場合、水槽内底面や床面上に広く堆積、或いは散在する沈澱物や汚泥を、回収除去しようとするポンプ式や風力式の吸引装置の吸泥口において、幅広く回収除去するために、走行移動する方向に直交する形で、床面に沿わせ、底面を開放した断面凹型の覆水路を配設し、該覆水路の基端部を吸引装置のサクションホースに接続連通させる。
【００１４】
該覆水路の走行方向に直交する前面壁、後面壁の下辺をほぼ全巾にわたってスリット状に開口させ、該開口部は、開口長さに合わせて配設し、水路方向の両側上方で軸支された、覆水路と直交する方向に遥動する閉子によって、進行方向後方側開口部が閉止されると共に、該閉子の下方先端部に、板ばね等で下方に押圧されるように装着したスクレパーが床面を押圧摺動するように構成する。
【００１５】
覆水路の先端側は、沈澱物に埋没し難い上方に開口させた補吸水口に接続連通させ、上部水を吸入できるようにする。
更に、小形機種にあっては手元まで伸延させた取っ手を配設し、大形機種にあっては走行移動する台車や台船に載置して、床面上を走行移動させて沈澱物を吸引除去する。
【００１６】
第３の場合、前記第２の場合において、設備を更に簡略化したい設備、例えば家庭用鑑賞魚の池や水槽用のものでは、進行方向に直交する覆水路のスリット状開口部を、進行方向前面側のみとして、併せて遥動する閉子を廃止して一定方向のみで回収除去作業を行うようになし、本体直上部の吸泥管に取っ手を兼用できる硬質の配管部を設けた後、サクションホースに接続する等して簡素化を図ると共に、合成樹脂材等で軽量化を図り、簡便な吸泥口設備とする。
【００１７】
第４の場合、道路側溝や水路の堆積泥土、或いは床面に積み上げられ、少し硬く、付着しやすい廃棄物汚泥等を取扱う場合、風力式吸引装置のサクションホースの吸泥口管端において、前方を低く傾斜して床面に当接する吸泥管端の後半が開口状態のまま、或いは前方に切刃を備えた掻き板で塞がれた状態で当接し、該吸泥管端の前半は前方に向けて開口させると共に、該開口部を床面に沿わせて前方に延長する形で、底面、及び先端から吸泥管端の管央付近に至る両側壁の下辺を開放した覆水路を構成突出させる、該覆水路内先端部上辺には、該覆水路の上段に併設した吸気路と連通させた吸気噴入口を設け、該吸気路は上方に伸延開口させて、外気を吸入出来るようにする。
【００１８】
更に、吸泥管下辺後方には、前方に突出する覆水路の姿勢を保持し、移動を容易にするために滑動しやすく構成した脚部、或いは、掻き板を水平に配設し、大形機種においては滑動脚部に替え、転動自在な車輪を配設すると共に、上方手元まで伸延させた取っ手を設ける。
【００１９】
第５の場合、水底表層面に散在する軽質泥物を選別的に吸引させようとする場合においては、ポンプから垂下延長した水底面の吸泥管端に、底面を開放した凹形断面の覆水路を走行方向に沿わせて配設し、該覆水路の基端部を接続連通させる。
【００２０】
該覆水路の内部流動速度は、吸引除去したい軽質物質を揚送できる速度、すなわち、軽質物質の単粒子移動開始速度の１．５倍以上の速度から、吸入させたくない水底表層面粒子を揚送でき難い速度、すなわち、水底表層面粒子の単粒子移動開始速度の１．５倍以下程度の速度に選定する。
【００２１】
また、該覆水路の両側壁の下辺を延長して底面泥土に挿入させ、或いは側外方にスラセ板を配設する等して側部外方からの吸水を防止すると共に、水底表層面を滑動しやすく形成し、更に、該覆水路の基端側端部壁は移動に伴い底面泥土を押し均しやすく、かつ、端部外方からの吸水を防止するように構成する。
【００２２】
また。覆水路の先端下辺には、水底表層面粒子が吸入速度で掘り込まれる深さを配慮して選定した高さの吸泥口を開口する。
【００２３】
【作用】
前記する第１の場合のように構成した覆水路を備えた吸泥口設備において、ポンプ式吸引装置のサクションホースに接続して作業を行う場合は、水底に堆積する沈澱物に吸泥口先端を押し当て徐々に降下させることで、初期においては底面全体から吸水、吸泥するけれども、更に降下し、先端部が接地するようになれば、下底面からの吸水は困難になり、主に外周壁下辺の開口部から吸入されるようになると共に、覆水路内上辺の補吸水噴入口からも吸水されるようになり、次第に覆水路内に周方向流れが生じ、この周方向流れによって覆水路内底面の沈澱物が巻き上げ混合されて吸泥管に吸入される。
【００２４】
更に降下し、深く沈澱物に押し込まれれば覆水路に侵入した沈澱物によって、覆水路内の通水面積が減少し、周方向の流動水速度が速まり、該覆水路内底面の沈澱物は更に良く巻き上げ混合され、排除されやすくなる。
【００２５】
作業の進行に伴い、すり鉢状に採取された外部周辺の沈澱物が一気に崩れ込み、吸泥口設備の先端部が完全に埋没しても、該吸泥口設備の補吸水口開口部が埋没しない限り、覆水路の内底面では流動速度に応じた濃度での安定した沈澱物排除が進行し、外部周辺の埋没沈澱物も岸根を洗うように崩落流入させて吸入し開放する。
【００２６】
このような埋没状態における覆水路内の吸入圧（外部圧力と覆水路内圧力との差）は、取扱う沈澱物の性状により、特に流動性の悪い沈澱物の場合、大きな吸入圧になるように噴入口の開口面積を小さく開口させて調整することができる。
【００２７】
また、大気中において、風力式の吸引装置を使用し、本構成の吸泥口設備を用いて、紛粒体や廃棄物汚泥等を吸引輸送する場合においても、水が空気に変わるだけでポンプ式とまったく同様の作用がある。
【００２８】
前記する第２の場合のように構成した覆水路を備えた吸泥口設備を、ポンプ式の吸引装置で使用する場合において、吸泥口設備をゆっくり床面上を前後進させることにより、覆水路内の閉子が後方側に遥動し、進行方向後方のスリット状開口部を閉鎖すると同時に、閉子先端部に装着したスクレパーは槽底面を摺動して付着物を掻き落し、前方スリット状開口部から取り込まれた沈澱物と併せて、覆水路内流動水によって巻き上げ混合されてポンプに吸引される。
【００２９】
覆水路内の流動水は、沈澱物の堆積がスリット状開口高さよりも浅い場合には、前方スリット状開口部から沈澱物と共に吸水されるけれども、沈澱物の増加に伴い、覆水路先端に連通して設けた上方の補吸水口から吸水するようになり、スリット状開口部が完全に閉塞する状態となっても、該覆水路内では流動水による巻き上げ混合が続行され、流動水速度に応じて安定した濃度での排除が進行する。
【００３０】
また、沈澱物の堆積量が部分的に多い場合においては、本吸泥口設備を沈澱物上に乗せ、下方へ徐々に押し込むようにして、覆水路内の流動速度を速めて、より高濃度吸泥を行わせることも出来る。
【００３１】
前記する第３の場合も吸引装置のサクションホースに接続して、第２の場合とまったく同じ作用を一定方向のみで行い、水槽や池底等の汚泥や砂の回収を、ほうきで一定方向に掃くような操作で行い、部分的に深く溜まった汚泥や砂に対しても、補吸水口が開口している限り、支障なく吸入作業ができ、また、吸泥口設備を汚泥上に被せる形で、下方へ押し込むようにして吸入させることも出来る。
【００３２】
前記する第４の場合のように構成した覆水路を備えた吸泥口設備を、風力式の吸引装置に接続して使用する場合において、床面に積み上げられた汚泥等に突っ込む形で吸泥口設備を押し込めば、床面に当接する吸泥管端の掘削刃部で床面付着物を剥ぎ取りながら、先端部は汚泥に埋まり、覆水路の両側壁開口部の吸泥管に近い開口部から外気と共に汚泥を吸入し、汚泥に埋まった状態の先端部においても、汚泥から囲われる形態の覆水路の上部には空隙が残り、吸泥管に連通する該覆水路内の負圧程度に応じて、先端の噴入口から外気を噴入し、該覆水路内底面の汚泥を巻き上げ混合して吸泥管に吸入排除させる。
【００３３】
本吸泥口設備においても吸気路上方の開口部が埋没しない範囲で、床面や汚泥への吸着現象が防止できるばかりでなく、埋没状態においても安定した高濃度吸泥を続行できる。
【００３４】
また、幾分固まった汚泥の場合においても、吸泥口設備を汚泥に突き当て、取っ手の手元を持ち上げることで、掘削刃部を支点にして覆水路先端壁で前面の汚泥を砕き込むことができ、取っ手手元を押し下げることで、車輪または脚部を支点に掘削刃部前面の付着物を鋤起こすことができる。
【００３５】
また、水中汚泥の圧力輸送のできる高い風圧の吸引装置を使い作業する場合においては、補吸気口が水没状態においても、水底汚泥の吸入難易程度に応じて変化する覆水路内圧力に応じて、補吸気口から上部水を吸水し、覆水路内で汚泥を巻き上げ混合させて安定した濃度で、安全な吸泥作業を行うことができる。
【００３６】
前記する第５の場合のように、水底表層面に散在する軽質泥物を選別的に吸引させるように構成した吸泥口設備の場合においては、吸泥口設備の開放した覆水路の底面を、挿入板が砂層に挿入され、スラセ板が着層する程度に着底させ、吸引稼動させながら前方吸泥口方向に移動させる。
【００３７】
水底表層面砂粒子の移動開始速度を超えた、吸泥口からの流入水は、下底面砂粒子を巻き上げ浮遊させて、吸泥口下底面砂層を掘り起こし、速度の遅くなった後流の覆水路内で、比重の大きい粒子、或いは大きさの大きい粒子から沈降し水底面に戻るけれども、沈降し得なかった軽質物質は、吸泥管に吸入され除去される。
【００３８】
しかし、同質の砂粒子を大きさによって選択吸引させようとする場合等では、明確にどの粒子径から吸引され、或いは吸引されないとすることは出来難く、当該粒子径の単粒子移動開始速度以上の流速であれば、吸引される可能性があり、大略、単粒子移動開始速度の３倍以下の速度であれば、吸引輸送されない粒子もあるとする考えにもとずくものであり、更に、覆水路の大きさ、長さ、母液の粘性、濃度等が大きく関わり、これ等を勘案する必要があると同時に、流量による流動速度の調整が必要な設備となる。
【００３９】
【実施例】
実施例について図面を参照しながら説明する。
実施例１
図１、図２、図３に示す実施例１は、前記する第１の場合の実施例である。
台船やクレーンから垂下した吸引装置のサクションホースに、図１に正面図を示す本実施例の吸泥口設備をフランジ１８で接続垂下して使用するものであり、図２に吸泥口ａ周辺の断面図を示すように、吸泥管１１の下方端外周に、下方端に吸泥口ａを開口させて外筒１２を配設し、該外筒１２と吸泥管１１間の空隙上辺に天板１４を設けて、該天板１４下方に下底面を開放した凹型断面の覆水路ｃを形成する。
【００４０】
更に、図３（ハ）に図２のＣ−Ｃ断面を示すように、覆水路ｃを周方向に分断する仕切壁１５を配設すると共に、該仕切壁１５の前面内周の吸泥管１１には、大略覆水路ｃの高さに合わせた吸込み口ｂを開口連通させ、仕切壁１５の背面側近傍の天板１４には、クロスハッチングして示すように、補吸水路ｅと連通する噴入口ｄを開設する。
【００４１】
該噴入口ｄは、覆水路の上方において、吸泥管１１の外周に配設した補吸水筒１３と、吸泥管１１間に形成された補吸水路ｅによって、補吸水筒１３の上端部に設けた補吸水口ｆに連通開口し、上方外部水を吸入する。
【００４２】
補吸水口ｆ及び吸泥口ａに設けるストレーナー１９、２０は、大形機種ではバースクリーン、小形機種ではパンチングメタル等を使用し、必要に応じて設けるものである。
【００４３】
実施例２
図４、図５、図６に示す実施例２は、前記する第２の場合の実施例である。
本実施例は、図４（イ）に正面図、（ロ）に側面図を示すもので、取っ手４１を持って前進、後進させ、双方向に幅広く吸泥作業を行うために、図５に覆水路ｃに沿った方向の縦断面図を示し、図６に各横断面図を示すように、下底面を開放した凹型断面の覆水路ｃを、移動する方向と直交する形に配設し、該覆水路ｃの前面壁、後面壁の下辺には吸泥口ａを大略全長さにわたって開口させ、該吸泥口ａは両端を水路上方のねじピン３７によって軸支され、覆水路ａ内で前後方向に遥動する閉子３３によって、進行方向後方側吸泥口ａが閉止されるように構成し、該閉子３３の下部にはスクレパー３５を出入り自在に両側板４０間に挟着し、波形板ばね３６で常に床面に押圧させる。
【００４４】
覆水路ａの基端部は該覆水路ａの上段吸泥水路ｋを経て管継手４３でサクションホース４４に接続し、吸引装置に連通させ、覆水路ａの先端部は噴入口ｄを経て、断面形状円形に形成した保護カバー３９の斜上方に窄穴した補吸水口ｆに連通開口させる。
【００４５】
実施例３
図７、図８に示す実施例３は、前記する第３の場合の実施例である。
図７に本実施例吸泥口設備の進行方向に直交する覆水路ｃ方向に添った縦断面図を示し、図８（イ）に図７のＡ−Ａ断面図、（ロ）に図７Ｂ−Ｂ断面図を示すように、覆水路ｃの前面壁下辺には大略水路の全長さにわたって吸泥口ａを開口させ、取っ手６１側背面壁下辺には、常に床面に密着摺動するようにゴム製のスクレパー５５を押え板６０及びボルト５６で装着する。
【００４６】
覆水路ｃの基端側は上段に配設した水路ｋを経て、ケース５１のねじ部５８に螺着した管継手６３によって吸引装置のサクションホースに接続連通させ、先端側は補吸水の噴入口ｄを経て、水路ｅ上方に配設したスクリーン５９に開窄した補吸水口ｆに連通開口させる。
【００４７】
実施例４
図９、図１０、図１１、図１２に示す実施例４は、前記する第４の場合の実施例である。
本実施例は図９の（イ）に正面図、（ロ）に側面図を示すように、吸引装置から伸延するサクションホース８４に接続し使用する吸泥口設備であり、図１０の吸泥口部分の側断面図、及び図１１の吸泥口部分の下面図において、吸泥管７１上端のねじ７８に管継手を螺着してサクションホース８４を接続連通させる。
【００４８】
下方に傾斜し床面に当接する吸泥管７１の下方端は、管央より後半は底面を塞ぐ形で、管央側に掘削刃ｇを形成した掻き板７５を配設し、管央より前方は、吸泥管７１を前方に開口させ、該開口部を前方に伸延する形で、ケース７２及び天板７４を突出させて覆水路ｃを形成し、ケース７２の前方と側部の下辺を開口させて吸泥口ａを形成する。
【００４９】
また、図１０のＡ−Ａ部断面を図１２（イ）に示すように、覆水路ｃの上段には、天板７４を隔壁にした補吸気路ｅを配設し、該補吸気路ｅは覆水路ｃの上辺先端部に噴入口ｄで開口連通させると共に、補吸気筒７３の上端に設けた補吸気口ｆに連通開口する。
【００５０】
また、吸泥管７１の手前下方には該吸泥管７１に設けたブラケット８６に軸８７で軸支された車輪８５を配設すると同時に、取扱い操作のための取っ手８１を上方手元まで伸延させて配設する。
【００５１】
実施例５
図１３、図１４、に示す実施例５は、前記する第５の場合の実施例である。
本実施例は、図１３の（イ）に側面図を示し、（ロ）に背面図を示すような鑑賞魚用水槽等の清掃に使用するもので、吸泥口設備のケース９２に接続した吸泥管９１を手で握り、図１３（イ）の左方向に移動させて吸泥させるもであり、吸泥管９１の上端はサクションホースを介して吸引装置に接続連通させる。
【００５２】
図１４に本実施例の覆水路に沿った断面図を示し、同図のＡ−Ａ断面を図１５の（イ）、Ｂ−Ｂ断面を（ロ）に示すように、内部流動速度を吸入させたくない下底面砂層砂粒子の単粒子移動開始速度の１．５倍以下になるよう選定し、下方を開放した凹形断面の覆水路ｃを配設し、該覆水路ｃの巾方向両側壁下方端部には、下底面の砂層９９に挿入する挿入板ｈと、砂層９９上を滑動しやすくするスラセ板ｉを設ける。
【００５３】
覆水路ｃの先端吸泥口ａは、下底面砂層を掘り込みたい深さに合わせて、ｍ部の開口高さを低くして開口させ、該覆水路ｃの基端側の端部壁下辺は外後方に湾曲させたｎ部を設け、更に、外方にゴム製のシール板９３を押え板９４で挟み装着して、覆水路ｃ内で再沈降した砂の押し均しと外方水の吸入を極力防止する、また、該覆水路ｃの基端は上段の水路ｋを経て吸泥管９１に連通させる。
【００５４】
【発明の効果】
以上述べてきたように構成した本発明の各場合に共通する効果は、ポンプ式においては吸泥作業にフラッシングやかくはん等の設備や動力を必要せず、周辺水をまったく汚濁させずに作業できることに加え、ポンプ式、風力式共に、吸泥口の吸着現象を生じさせることなく、また、吸泥口が埋没状態においても過吸込みや閉塞を生じさせずに、覆水路ｃ内での補吸入水による積極的なかくはん混合により、安定した濃度での吸泥を続行できるために、吸泥能率の向上のみならず、取扱いやすく、輸送（吸引）距離を増大できる等、環境保全、省エネルギー、能率向上に大きな効果がある。
この他に前記する各場合特有の効果も、下記するようなものがある。
【００５５】
第１の場合は、ポンプ式吸引装置に使用し、従来の川砂、海砂採取作業を改善できるばかりでなく、周辺水を汚濁するために、従来困難であったダム湖等のヘドロ浚渫等を可能になし、また、稼動状態の水関連施設水槽沈澱物を水抜きすることなく、回収除去する設備を提供できる効果は大きい。
【００５６】
また、風力式吸引装置に圧力式風力輸送の出来る装置を使用して、水中沈澱物を回収する場合においても、着底して水底沈澱物を優先して吸入させることは、吸泥能率の向上に大きな効果がある。
【００５７】
第２の場合は、小口径機種では取っ手を設けて、鑑賞魚や噴水景観施設の池の堆積ヘドロの回収除去、大形機種においては、水処理施設や水槽の沈澱物除去を、設備の稼動を停止させることなく、また、排水することもなく、景観を損なわずに経済的に行える設備を提供出る。
【００５８】
第３の場合は、小口径機種では、鑑賞魚水槽の掃除や砂換え、或いは砂洗いを排水することなく行える軽便な設備を提供できる。
【００５９】
第４の場合は、従来困難を極めた、風力式吸引設備を使用した水底沈澱物の回収作業においても、水中沈澱物の吸入難易程度に応じて自動的に調整された濃度で、確実な吸引回収ができる効果は大きく、特に大口径機種では吸泥口設備の取扱い操作が容易になる。
【００６０】
第５の場合は、小口径機種においては鑑賞魚水槽の排泄物や残餌を回収除去する簡易な器具が提供でき、大口径機種においては養殖場のヘドロ状堆積物、湖沼海底の堆積ヘドロ、火山噴火降灰等の回収除去を行う吸泥口設備を提供することができ、揚送する必要のない砂を選別して揚送しないことは、動力を節減し、部材機器の磨耗を著しく低減できる経済的効果は大なるものがある。
【００６１】
【図面の簡単な説明】
【図１】実施例１（第１の場合）の正面図である。
【図２】図１の吸泥口ａ周辺の断面図を示す。
【図３】（イ）は図１のＡ−Ａ視上面図、（ロ）は図１のＢ−Ｂ視底面図、（ハ）は図１及び図２のＣ−Ｃ断面図、（ニ）は図１のＤ−Ｄ断面図を示す。
【図４】実施例２（第２の場合）の正面図を（イ）に示し、側面図を（ロ）に示す。
【図５】実施例２（第２の場合）の覆水路ｃに沿った縦断面図を示し、図中の矢印は補吸水の流れ方向を示す。
【図６】（イ）は図５のＡ−Ａ断面、（ロ）は図５のＢ−Ｂ断面、（ハ）は図５のＣ−Ｃ断面を示す。
【図７】実施例３（第３の場合）の覆水路ｃに沿った方向の縦断面図を示し、図中の矢印は補吸水の流れ方向を示す。
【図８】（イ）は図７のＡ−Ａ断面、（ロ）は図７のＢ−Ｂ断面を示す。
【図９】実施例４（第４の場合）の正面図を（イ）に示し、側面図を（ロ）に示す。
【図１０】図９（ロ）側面図の吸泥口ａ周辺の断面図を示し、図中の矢印は補吸水及び吸入泥土の流れを示す。
【図１１】図１０の下方より見た底面図を示す。
【図１２】（イ）は図１０のＡ−Ａ断面図、（ロ）は図１０のＢ−Ｂ断面図を示す。
【図１３】実施例５（第５の場合）の側面図を（イ）に示し、背面図を（ロ）に示す。
【図１４】図１３実施例５の側断面図であり、図中の矢印は吸泥口ａからの流れを示す。
【図１５】（イ）は図１４のＡ−Ａ断面図、（ロ）は図１４のＢ−Ｂ断面図を示す。
【符号の説明】
１１、　吸泥管
１２、　外筒
１３、　補吸水筒
１４、　天板
１５、　仕切壁
１８、　接続フランジ
１９、　補吸水口のストレーナー
２０、　吸泥口のストレーナー
３１、　ケース
３２、　側部カバー
３３、　閉子
３５、　スクレパー
３６、　波形板ばね
３７、　ねじピン
３８、　ケース３１の吸泥管接続ねじ
３９、　保護カバー
４０、　スクレパー３５の保持用側板
４１、　取っ手
４２、　取っ手４１をケース３１に取り付ける軸
４３、　吸泥管ホース接続用管継手
４４、　サクションホース
５１、　ケース
５２、　ケース５１のガイド部
５５、　スクレパー
５６、　ボルト
５８、　ケース５１の吸泥管接続ねじ
５９、　補吸水口のストレーナー
６０、　スクレパー押え板
６１、　取っ手
６２、　ピン
６３、　吸泥管の管継手
７１、　吸泥管
７２、　ケース
７３、　補吸気筒
７４、　天板（覆水路と補吸水路の仕切り板）
７５、　掻き板
７８、　吸泥管の接続ねじ
７９、　補吸水口のストレーナー
８１、　取っ手
８２、　取っ手取付用のブラケット
８４、　サクションホース
８５、　車輪
８６、　車輪取付用ブラケット
８７、　車輪軸
９１、　吸泥管
９２、　ケース
９３、　シール板
９４、　押え板
９８、　吸泥管接続ねじ
９９、　砂層
ａ、　吸泥口
ｂ、　吸込み口
ｃ、　覆水路
ｄ、　噴入口（補吸水路と覆水路の連通部）
ｅ、　補吸水路、風力式の場合は吸気路
ｆ、　補吸水口、風力式の場合は補吸気口
ｇ、　掻き板７５の先端掘削刃部
ｈ、　挿入板
ｉ、　スラセ板
ｊ、　覆水路ｃと吸泥水路ｋの仕切り部材
ｋ、　覆水路ｃと吸泥管９１間の吸泥水路
ｍ、　覆水路ｃの進行方向前面壁の下辺部
ｎ、　覆水路ｃの進行方向後方壁の下辺部
【図１】
2004105933.tif 000003
【図２】
2004105933.tif 000004
【図３】
2004105933.tif 000005
【図４】
2004105933.tif 000006
【図５】
2004105933.tif 000007
【図６】
2004105933.tif 000008
【図７】
2004105933.tif 000009
【図８】
2004105933.tif 000010
【図９】
2004105933.tif 000011
【図１０】
2004105933.tif 000012
【図１１】
2004105933.tif 000013
【図１２】
2004105933.tif 000014
【図１３】
2004105933.tif 000015
【図１４】
2004105933.tif 000016
【図１５】
2004105933.tif 000017